(57)【要約】【課題】  前腕の中心軸に基づいて前腕が回外または回内できると共に、肌ずれや蒸れを防止して、所望な回外角度または回内角度を保持してリハビリ作業を行うことができるようにした前腕回内外運動用装具を提供すること。【解決手段】  少なくとも対となる棒状部材１０を有し、該対となる棒状部材の先部を繋ぐ連結部材の中央に指挿入部１２を有する本体フレーム１と、該本体フレームの対となる棒状部材間に外側環状部材１５１が取り付けられ、該外側環状部材に対して内側環状部材１５２が回転かつ固定可能に設けられる環状部材１５と、患者の手首を固定するための手首固定手段２と、前記手首固定手段に取り付けられ、前記内側環状部材に設けるフック１５２ｂに掛止され前記手首固定手段に弾性力を付与する弾性部材３とから構成した前腕回内外運動用装具である。【選択図】  図５
2008212589.tif 000002
【特許請求の範囲】
【請求項１】
少なくとも対となる棒状部材を有し、該対となる棒状部材の先部を繋ぐ連結部材の中央に指挿入部を有する本体フレームと、
該本体フレームの対となる棒状部材間に外側環状部材が取り付けられ、該外側環状部材に対して内側環状部材が回転かつ固定可能に設けられる環状部材と、
患者の手首を固定するための手首固定具と、
前記手首固定具に取り付けられ、前記内側環状部材に設けるフックに掛止され前記手首固定具に弾性力を付与する弾性部材と、
から構成したことを特徴とする前腕回内外運動用装具。
【請求項２】
前記外側環状部材は、前記本体フレームの対となる棒状部材間に対して摺動かつ固定可能に取り付けたことを特徴とする請求項１記載の前腕回内外運動用装具。
【請求項３】
前記外側環状部材の内周面に溝が形成され、該溝に挿入されるガイドピンを内側環状部材に設け、これにより内側環状部材を外側環状部材に対して回転自在としたことを特徴とする請求項１記載の前腕回内外運動用装具。
【請求項４】
前記内側環状部材に回動自在にストッパが取り付けられ、該ストッパを回転し先端を前記外側環状部材の前記溝の底部に当接させることで摩擦抵抗を増大させ、これにより内側環状部材を外側環状部材に対して固定するようにしたことを特徴とする請求項１記載の前腕回内外運動用装具。
【発明の詳細な説明】
【技術分野】
【０００１】
本発明は、前腕の骨折などの前腕の外傷に起因する前腕回旋の可動域制限、すなわち、回内および回外の機能制限の回復を促進する前腕回内外運動用装具に関するものである。
【背景技術】
【０００２】
従来、前腕の骨折などで前腕回旋の可動域制限、すなわち、回内及び回外の機能制限を回復させるリハビリ作業に用いる装置が提案されている。当該装置は、上腕に取付け可能な取付けバンドと、取付けバンドの両側に固定された対となる吊り下げ部材と、対となる細長片及び細長片の先部を繋ぐ連結片とを有し、細長片の基部が吊り下げ部材の端部に回旋運動自在に取付けられたフレームと、連結片の中央部に設けられた軸受部を介して回旋可能に取付けられた回旋軸と、フレームの内側にあって、しかも回旋軸の先部に取付けられた前腕保持具と、フレームにその一部が固定されて、前腕保持具に回旋力を与える回旋力発生部材とから構成されている。
【０００３】
当該装置の使用に際しては、上腕に取付けバンドを巻付けて固定し、両方の細長片の間に前腕を挿入し、前腕部に前腕保持具を装着する。そして、フレーム側の任意の固定フックを選択し、当該固定フックに回旋力発生部材を掛けることにより、前腕保持具に回外又は回内させる回旋力を与え、前腕保持具と共に前腕部を徐々に回旋させることができる。
【特許文献１】特開２０００−２１０３４９
【発明の開示】
【発明が解決しようとする課題】
【０００４】
しかしながら、上述の装置では、前腕部に装着した前腕保持具が回旋軸の回りに回旋できる状態で、回旋力発生部材によって前腕保持具に回旋力を与えるものであり、前腕部は回旋軸の回りに円運動で回旋することになる。このため、前腕の中心軸が回旋軸に対応しておらず、所望な回外角度または回内角度でリハビリを行うことができないという問題があった。
【０００５】
また、前腕部の保持にはプラスチック製の前腕保持具を用いているため、前腕保持具内で前腕が動き、肌ずれ等が生じるという問題もあった。さらに、プラスチック製故に、蒸れて不快感もあった。
【０００６】
本発明は前記した問題点を解決せんとするもので、その目的とするところは、前腕の中心軸に基づいて前腕が回外または回内できると共に、肌ずれや蒸れを防止して、所望な回外角度または回内角度を保持してリハビリ作業を行うことができるようにした前腕回内外運動用装具を提供せんとするにある。
【課題を解決するための手段】
【０００７】
本発明の前腕回内外運動用装具は前記した目的を達成せんとするもので、請求項１の手段は、少なくとも対となる棒状部材を有し、該対となる棒状部材の先部を繋ぐ連結部材の中央に指挿入部を有する本体フレームと、該本体フレームの対となる棒状部材間に外側環状部材が取り付けられ、該外側環状部材に対して内側環状部材が回転かつ固定可能に設けられる環状部材と、患者の手首を固定するための手首固定具と、前記手首固定具に取り付けられ、前記内側環状部材に設けるフックに掛止され前記手首固定具に弾性力を付与する弾性部材とから構成したものである。
【０００８】
請求項２の手段は、前記した請求項１において、前記外側環状部材は、前記本体フレームの対となる棒状部材間に対して摺動かつ固定可能に取り付けたことを特徴とする。
【０００９】
請求項３の手段は、前記した請求項１において、前記外側環状部材の内周面に溝が形成され、該溝に挿入されるガイドピンを内側環状部材に設け、これにより内側環状部材を外側環状部材に対して回転自在としたことを特徴とする。
【００１０】
請求項４の手段は、前記した請求項１において、前記内側環状部材に回動自在にストッパが取り付けられ、該ストッパを回転し先端を前記外側環状部材の前記溝の底部に当接させることで摩擦抵抗を増大させ、これにより内側環状部材を外側環状部材に対して固定するようにしたことを特徴とする。
【発明の効果】
【００１１】
以上のような構成からなる本発明にかかる前腕回内外運動用装具によれば、中指を基軸とした前腕の中心軸に基づいて前腕が回外または回内でき、所望な回外角度または回内角度を保持してリハビリ作業を行うことができる。
【００１２】
また、外側環状部材を前記本体フレームの対となる棒状部材間に対して摺動かつ固定可能に取り付けたことにより、患者の前腕の長さに応じて移動することで子供から大人が使用して良好な治療を受けることが可能である。
【００１３】
さらに、外側環状部材の内周面に形成した溝に内側環状部材のガイドピンを挿入することで、内側環状部材を外側環状部材に対して回転自在としたので、構造が簡単でコストの低減を図ることができる。
【００１４】
また、内側環状部材にストッパを取り付け、このストッパの先端を外側環状部材の溝の底部に当接させて摩擦抵抗を得ることで、内側環状部材を外側環状部材に対して固定するようにしたので、簡単な操作で内側環状部材を固定あるいは回り難くすることで、治療の初期と後期とで患者の手首に対する回転力を自由に設定することができる等の効果を有するものである。
【発明を実施するための最良の形態】
【００１５】
本発明は、本体フレームに対して外側環状部材を固定し、この外側環状部材に対して回転かつ固定可能に取り付けられた内側環状部材に対して患者の手首を弾性部材を解して取り付けたものである。
【実施例１】
【００１６】
以下では、本発明にかかる前腕回内外運動用装具を図面に基づいて具体的に説明する。
ここで、図１は環状部材の正面図であり、図２は外側環状部材に対する内側環状部材の取り付け構造を示す説明図であり、図３は本発明にかかる前腕回内外運動用装具（本体フレーム及び環状部材）の斜視図であり、図４は環状部材に前腕を装着した状態を示す説明図であり、図５は本発明にかかる前腕回内外運動用装具に前腕を装着した状態を示す説明図であり、図６は手首固定具の平面図であり、図７は手首固定具の背面図であり、図８〜図１０は手首固定具の装着過程を示す説明図であり、図１１は手首固定具の手の平側の装着状態を示す説明図、図１２は手首固定具の手の甲側の装着状態を示す説明図である。
【００１７】
図３における符号１は、本発明にかかる前腕回内外運動用装具の本体フレームを示している。
本体フレーム１は対となる棒状部材１０を有し、この対となる棒状部材１０の先部は連結部材１１により繋がれている。本実施形態においては、対となる棒状部材１０の他の先部も連結部材１２により連結され、平面視において矩形状をなしている。なお、図示してはいないが、本体フレーム１の各角部には必要に応じて脚部を設けることもできる。
【００１８】
また、連結部材１２の中央には、後述するように使用時において中指を挿入する中指挿入部１３が設けられている。さらに、対となる棒状部材１０の間には、布等からなる前腕載置部材１４が設けられると共に、対となる棒状部材間を摺動可能に環状部材１５が取り付けられている。
【００１９】
環状部材１５は、図１及び図２に示すように、前記棒状部材１１が挿通される挿通穴１５１ａを有する外側環状部材と、この外側環状部材に対して回転かつ固定可能に設けられる内側環状部材とから構成されている。前記外側環状部材１５１に設けられる挿通穴１５１ａは、スリット１５１ｂと蝶ネジ１５１ｃによって、その大きさを変更できるようになっており、前記棒状部材１０上を摺動可能でかつ固定可能になっている。
【００２０】
前記内側環状部材１５２には、図２に示すように、外側環状部材１５１の内周面に設けたガイド溝１５１ｄに、ネジ等からなる複数のガイドピン１５２ａによって回転可能に取り付けられている。また、内側環状部材１５２には、取付ネジ１５３ａを支点としてつまみ部１５３ｂを回動させることにより、外側環状部材１５１のガイド溝１５１ｄの内面に先端部１５３ｃが当接して外側環状部材１５１に対して内側環状部材１５２を固定可能とするストッパ１５３が設けられている。さらに、内側環状部材１５２には、後述する弾性部材を掛止させる４つのフック１５２ｂが設けられている。
【００２１】
図６及び図７における符号２は、右手に装着される手首固定具を示している。この手首固定具２は、布やメッシュ状のウレタン等からなり、手の平及び手の甲を覆う手覆い部２１と、この手覆い部２１に連結され、手首部分に装着されるバンド部２２とから構成されている。なお、手首固定具を手に装着した際の外側面が図６、内側面が図７となっている。また、図示しないが、左手に装着されるものは、右手に装着されるものとは逆の構成となる。
【００２２】
手覆い部２１は、略矩形状をなし、図７においては、中央左寄り上部に親指を挿入する親指挿入穴２１ａが設けられると共に、この親指挿入穴２１ａから左斜め上方に向けて親指を固定するための親指固定片２１ｂが設けられている。
バンド部２２は、手首部分に巻き付けて装着できるように帯状をなし、図６に示すように、手覆い部２１の左辺近傍に縫着されている。また、バンド部２２には、後述する弾性部材を掛止させる複数の弾性部材取付片２２ａが設けられている。
【００２３】
手首固定具２の手及び手首への装着にあたっては、面ファスナが用いられる。詳しくは、手覆い部２１の左辺に設けられるオス面ファスナ２３ａが、図６に示すメス面ファスナ２３ｂに対応している。親指固定片２１ｂの先端に設けられるオス面ファスナ２４ａが、図６のメス面ファスナ２４ｂに対応している。さらに、バンド部２２の先端に設けられるオス面ファスナ２５ａが、図６に示すメス面ファスナ２５ｂに対応している。
【００２４】
図６には、手首固定具とは別に、断面が湾曲形状をなすと共に、平面視矩形状をなしたプラスチック等の剛性板を布又はメッシュ状のウレタン等で被覆して形成された動脈保護部材２６が図示されている。この動脈保護部材２６は、後述するように、バンド部２２を手首に巻き付ける際に、動脈が圧迫されることを防止するために装着するものであって、その裏面側にはオス面ファスナ（図示せず）が縫着されている。
【００２５】
弾性部材３は、ゴム、バネ等からなり、内側環状部材１５２と手首固定具２との間に設けられるものである。図４は、弾性部材３としてゴムを用いた例であり、詳しくは、手首固定具２の弾性部材取付片２２ａの対向する４箇所に弾性部材（ゴム）３を通して環状とした後、この弾性部材（ゴム）３を内側環状部材１５２に設けるフック１５２ｂにそれぞれ掛止したものである。このように弾性部材３としてゴムを用いた場合には、ゴムの長さを調整することにより、回旋軸と前腕の中心軸とを合わせる調整を容易に行うことができる。
【００２６】
次に、本発明にかかる前腕回内外運動用装具の使用方法について説明する。
（１）手首固定具の装着
まず、リハビリ作業を行う前腕Ｆ（本実施形態においては右腕）側の手Ｈの親指Ｔを手首固定具２の親指挿入穴２１ａに挿入し（図８参照）、手覆い部２１によって手の平及び手の甲を覆うようにして面ファスナ２３ａ，２３ｂにて固定すると共に、親指Ｔを親指固定片２１ｂを用いて面ファスナ２４ａ，２４ｂにて固定する（図９参照）。
【００２７】
その後、手首部分にバンド部２２を巻き付けて固定することとなるが、この際、手首部分の動脈をバンド部２２により圧迫しないように、手首の動脈部分に面ファスナ２３ｂを用いて動脈保護部材２６を取り付ける（図１０参照）。そして、手首部分にバンド部２２を巻き付けて面ファスナ２５ａ，２５ｂにて固定する（図１１，図１２参照）。このように、手首部分を固定することにより、リハビリ作業時に手のみが回転してしまうことがなくなる。
【００２８】
（２）環状部材への取り付け
手首固定具２の手への装着後、本体の中指挿入部１３に中指を挿入し、前腕を前腕載置部材１４に載置した状態（図５参照）で、手首固定具２の弾性部材取付片２２ａの対向する４箇所に弾性部材（ゴム）３を通して環状とし、この弾性部材（ゴム）３を環状部材１５の内側環状部材１５２に設けるフック１５２ｂにそれぞれ掛止する（図４参照）。この際、弾性部材（ゴム）３の長さを調整することにより、回旋軸と前腕の中心軸とが一致するように調整する。また、環状部材１５を本体フレーム１の棒状部材１０上を摺動させることにより、中指挿入部１３と環状部材１５との距離を調整することができる。
【００２９】
（３）リハビリ作業
リハビリ作業に使用する場合、環状部材１５の内側環状部材１５２を右又は左へ所望角度に回動させる。詳しくは、図５に示す状態において、内側環状部材１５２をＡ方向に回動させると回内（手の平を下に向ける運動）となり、Ｂ方向に回動させると回外（手の平を上に向ける運動）となる。
【００３０】
その後、ストッパ１５３のつまみ１５３ｂを起こすことにより、外側環状部材１５１のガイド溝１５１ｄの内面に先端部１５３ｃが当接して外側環状部材１５１に対して内側環状部材１５２を所望角度で固定することができる。
【００３１】
このように、外側環状部材１５１に対して内側環状部材１５２を所望角度で固定することにより、前腕は回内又は回外状態で保持されることになるため、リハビリ効果が十分に期待できる。
【００３２】
なお、弾性部材（ゴム）３の弾性力は、手首固定具２の弾性部材取付片２２ａに働くが、バンド部材２２により分散され、手覆い部２１には局所的な力が加わらない。このため、バンド部材２２が吊れることもなく、肌ずれ等が生じることもない。
【００３３】
上記実施形態としては、前腕を回外又は回内状態で保持するものを説明したが、ストッパ１５３を使用せず、外側環状部材１５１に対して内側環状部材１５２をフリーに回動できる状態として、弾性部材３の弾性力に抗して前腕部Ｆを徐々に回旋させるリハビリ作業にも用いることもできる。
【００３４】
上記実施形態においては、本発明にかかる前腕回内外運動用装具を前腕のリハビリ作業に用いる例を説明したが、前腕を所定の角度で回転させて固定できることからＭＲＩ装置による画像診断等の検査などにも使用することができる。
【図面の簡単な説明】
【００３５】
【図１】環状部材の正面図である。
【図２】外側環状部材に対する内側環状部材の取り付け構造を示す説明図である。
【図３】本発明にかかる前腕回内外運動用装具（本体フレーム及び環状部材）の斜視図である。
【図４】環状部材に前腕を装着した状態を示す説明図である。
【図５】本発明にかかる前腕回内外運動用装具に前腕を装着した状態を示す説明図である。
【図６】手首固定具の平面図である。
【図７】手首固定具の背面図である。
【図８】手首固定具の装着過程を示す第１の説明図である。
【図９】手首固定具の装着過程を示す第２の説明図である。
【図１０】手首固定具の装着過程を示す第３の説明図である。
【図１１】手首固定具の手の平側の装着状態を示す説明図である。
【図１２】手首固定具の手の甲側の装着状態を示す説明図である。
【符号の説明】
【００３６】
１      前腕回内外運動用装具（本体）
１１    棒状部材
１２    連結部材
１３    中指挿入部
１４    前腕載置部材
１５    環状部材
１５１  外側環状部材
１５２  内側環状部材
２      手首固定具
２１    手覆い部
２２    バンド部
２６    動脈保護部材
３      弾性部材
【図１】
2008212589.tif 000003
【図２】
2008212589.tif 000004
【図３】
2008212589.tif 000005
【図５】
2008212589.tif 000006
【図１１】
2008212589.tif 000007
【図４】
2008212589.tif 000008
【図６】
2008212589.tif 000009
【図７】
2008212589.tif 000010
【図８】
2008212589.tif 000011
【図９】
2008212589.tif 000012
【図１０】
2008212589.tif 000013
【図１２】
2008212589.tif 000014